(57)【特許請求の範囲】
【請求項１】
外水圧を受けるコンクリート構造物の継目部分に配設され、該継目部分からの漏水を防止するコンクリート構造物用止水装置であって、
隣り合うコンクリート構造物を繋ぐように設けられる可撓性防水シートと、
上記可撓性防水シートを上記コンクリート構造物の内側から覆う剛性部材からなり、一方のコンクリート構造物及び他方のコンクリート構造物にそれぞれ固定される第１及び第２カバー部材とを備え、
上記可撓性防水シートの一方の縁部は一方のコンクリート構造物に固定される第１定着部とされ、他方の縁部は他方のコンクリート構造物に固定される第２定着部とされ、
上記可撓性防水シートには、上記第１定着部と上記第２定着部との間に、両コンクリート構造物の相対変位を許容するための余長部が設けられ、
上記第１カバー部材は、一方のコンクリート構造物に固定される第１固定部と、該第１固定部から一方のコンクリート構造物の内側へ向けて延びる第１基部と、該第１基部の先端部から他方のコンクリート構造物側へ向けて延び、外水圧を受けた上記可撓性防水シートを押さえるための第１押さえ部と、該第１押さえ部の先端部から上記コンクリート構造物の継目部分へ接近する方向へ延びる第１縦板部と、上記第１基部、上記第１押さえ部及び上記第１縦板部で区画形成され、上記外水圧を受けて変形した上記可撓性防水シートを収容する第１収容空間部とを有し、
上記第２カバー部材は、他方のコンクリート構造物に固定される第２固定部と、該第２固定部から他方のコンクリート構造物の内側へ向けて延びる第２基部と、該第２基部の先端部から一方のコンクリート構造物側へ向けて延び、外水圧を受けた上記可撓性防水シートを押さえるための第２押さえ部と、該第２押さえ部の先端部から上記コンクリート構造物の継目部分へ接近する方向へ延びる第２縦板部と、上記第２基部、上記第２押さえ部及び上記第２縦板部で区画形成され、上記外水圧を受けて変形した上記可撓性防水シートを収容する第２収容空間部とを有していることを特徴とするコンクリート構造物用止水装置。
【請求項２】
請求項１に記載のコンクリート構造物用止水装置において、
上記第１カバー部材は、上記第１固定部、上記第１基部、上記第１押さえ部及び上記第１縦板部に連なる第１補強部を有していることを特徴とするコンクリート構造物用止水装置。
【請求項３】
請求項１または２に記載のコンクリート構造物用止水装置において、
上記可撓性防水シートは、樹脂材からなり、
上記第１及び第２カバー部材は、上記可撓性防水シートに接着する樹脂材からなる樹脂材層を有し、
上記第１及び第２カバー部材における樹脂材層が上記可撓性防水シートに接着されていることを特徴とするコンクリート構造物用止水装置。
【発明の詳細な説明】
【技術分野】
【０００１】
本発明は、例えば用水路等を構築する場合に用いられる複数のコンクリート構造物間の止水を行うためのコンクリート構造物用止水装置に関するものである。
【背景技術】
【０００２】
従来から、例えば用水路等は略Ｕ字状断面を有するコンクリート構造物を複数繋げて構築されている。このような構造の用水路では、例えば、特許文献１、２に開示されているように、隣り合うコンクリート構造物の間からの漏水を防止するための止水装置が設置される場合がある。
【０００３】
特許文献１の止水装置は、隣り合うコンクリート構造物の間を覆う可撓性防水シートを備えている。可撓性防水シートの一方の縁部は一方のコンクリート構造物に固定され、他方の縁部は他方のコンクリート構造物に固定されている。また、可撓性防水シートには、所定値以上の引張力を受けたときに展開する折り返し部が設けられている。
【０００４】
また、特許文献２の止水装置は、波型の可撓性防水シートと、可撓性防水シートを用水路内側から覆う一対のカバープレートとを備えており、カバープレートはコンクリート構造物に固定されている。
【０００５】
上記コンクリート構造物は、一般に、施工後、長い年月を経る間に地盤沈下等に起因して一方のコンクリート構造物が他方のコンクリート構造物から離れるように変位することがある。この場合、特許文献１の可撓性防水シートでは折り返し部が展開し、特許文献２の可撓性防水シートでは波型部分が延びてコンクリート構造物の変位を吸収することができる。
【先行技術文献】
【特許文献】
【０００６】
【特許文献１】特開平１０−１５９１６１号公報
【特許文献２】特開平１０−８８５４８号公報
【発明の概要】
【発明が解決しようとする課題】
【０００７】
しかしながら、例えば用水路においては、農閑期のように用水路内に水が流れていない状態で用水路の外部に水が溜まることがある。こうなると、隣り合うコンクリート構造物の間には、用水路の外側から内側へ水圧（外水圧）が作用する。特許文献１の可撓性防水シートは外水圧を受けると、本来、コンクリート構造物の変位を吸収するためのものである折り返し部が展開して用水路内側へ大きく膨らむように無理に変形し、用水路内の水の流れを阻害し、やがて損傷してしまうことが考えられる。
【０００８】
そこで、特許文献２のように可撓性防水シートの内側を覆う一対のカバープレートを設けることが考えられるが、これらカバープレートの間には隙間があり、外水圧を受けた可撓性防水シートはカバープレートの隙間から用水路内側へ向けて大きく膨らんで損傷する恐れがある。
【０００９】
また、カバープレートはコンクリート構造物に固定されていることから、隣り合うコンクリート構造物が互いに離れるように変位すると、カバープレート間の隙間が拡大し、外水圧を受けた可撓性防水シートが膨らみやすくなってしまうという問題もある。
【００１０】
本発明は、かかる点に鑑みてなされたものであり、その目的とするところは、隣り合うコンクリート構造物の相対変位を許容しながら止水性を確保できるように可撓性防水シートを設ける場合に、可撓性防水シートが外水圧を受けても無理な変形が起こらないようにして可撓性防水シートの耐久性を高めることにある。
【課題を解決するための手段】
【００１１】
上記目的を達成するために、本発明では、可撓性防水シートを覆う剛性部材からなるカバー部材を設け、外水圧を受けて変形した可撓性防水シートを当該カバー部材の内部に収容するようにした。
【００１２】
第１の発明は、外水圧を受けるコンクリート構造物の継目部分に配設され、該継目部分からの漏水を防止するコンクリート構造物用止水装置であって、隣り合うコンクリート構造物を繋ぐように設けられる可撓性防水シートと、上記可撓性防水シートを上記コンクリート構造物の内側から覆う剛性部材からなり、一方のコンクリート構造物及び他方のコンクリート構造物にそれぞれ固定される第１及び第２カバー部材とを備え、上記可撓性防水シートの一方の縁部は一方のコンクリート構造物に固定される第１定着部とされ、他方の縁部は他方のコンクリート構造物に固定される第２定着部とされ、上記可撓性防水シートには、上記第１定着部と上記第２定着部との間に、両コンクリート構造物の相対変位を許容するための余長部が設けられ、上記第１カバー部材は、一方のコンクリート構造物に固定される第１固定部と、該第１固定部から一方のコンクリート構造物の内側へ向けて延びる第１基部と、該第１基部の先端部から他方のコンクリート構造物側へ向けて延び、外水圧を受けた上記可撓性防水シートを押さえるための第１押さえ部と、該第１押さえ部の先端部から上記コンクリート構造物の継目部分へ接近する方向へ延びる第１縦板部と、上記第１基部、上記第１押さえ部及び上記第１縦板部で区画形成され、上記外水圧を受けて変形した上記可撓性防水シートを収容する第１収容空間部とを有し、上記第２カバー部材は、他方のコンクリート構造物に固定される第２固定部と、該第２固定部から他方のコンクリート構造物の内側へ向けて延びる第２基部と、該第２基部の先端部から一方のコンクリート構造物側へ向けて延び、外水圧を受けた上記可撓性防水シートを押さえるための第２押さえ部と、該第２押さえ部の先端部から上記コンクリート構造物の継目部分へ接近する方向へ延びる第２縦板部と、上記第２基部、上記第２押さえ部及び上記第２縦板部で区画形成され、上記外水圧を受けて変形した上記可撓性防水シートを収容する第２収容空間部とを有していることを特徴とするものである。
【００１３】
この構成によれば、例えば地盤沈下等によって一方のコンクリート構造物が他方のコンクリート構造物から離れるように変位した場合には、可撓性防水シートの第１定着部と第２定着部とが離れる方向に引っ張られ、このとき余長部によってそのコンクリート構造物の変位が許容されるので、可撓性防水シートの破れが回避されて止水性能が維持される。
【００１４】
一方、外水圧が可撓性防水シートに作用した場合には、可撓性防水シートが膨らむように変形する。このとき、可撓性防水シートが、第１及び第２カバー部材の第１及び第２押さえ部によって押さえられるとともに、第１及び第２収容空間部に収容される。収容された可撓性防水シートは、第１及び第２縦板部の存在によって上記両収容空間部から外部へ出るのが阻止される。これにより、可撓性防水シートの膨らみを小さくすることが可能になり、無理な変形が抑制される。
【００１５】
第２の発明は、第１の発明において、上記第１カバー部材は、上記第１固定部、上記第１基部、上記第１押さえ部及び上記第１縦板部に連なる第１補強部を有していることを特徴とするものである。
【００１６】
この構成によれば、第１カバー部材の剛性が全体として高まる。
【００１７】
第３の発明は、第１または２の発明において、上記可撓性防水シートは、樹脂材からなり、上記第１及び第２カバー部材は、上記可撓性防水シートに接着する樹脂材からなる樹脂材層を有し、上記第１及び第２カバー部材における樹脂材層が上記可撓性防水シートに接着されていることを特徴とするものである。
【００１８】
この構成によれば、第１及び第２カバー部材を可撓性防水シートに接着して直接固定することが可能になる。
【発明の効果】
【００１９】
第１の発明によれば、可撓性防水シートに余長部を設けたことで、隣り合うコンクリート構造物の変位を許容しながら止水性を確保できる。そして、剛性部材からなる第１及び第２カバー部材により可撓性防水シートを覆い、各カバー部材には、外水圧を受けて変形した可撓性防水シートを収容する収容空間部を基部、押さえ部及び縦板部によって形成している。これにより、外水圧が作用した可撓性防水シートの無理な変形を抑制できるので耐久性を高めることができる。
【００２０】
第２の発明によれば、第１カバー部材の剛性を高めることができるので、外水圧が高くても可撓性防水シートの無理な変形を抑制できる。
【００２１】
第３の発明によれば、第１及び第２カバー部材における樹脂材層を樹脂材からなる可撓性防水シートに接着したので、可撓性防水シートに高い外水圧が作用した際に可撓性防水シートが各カバー部材から離脱するように変形するのを抑制できる。
【図面の簡単な説明】
【００２２】
【図１】実施形態にかかるコンクリート構造物用止水装置が配設された用水路の一部を示す図である。
【図２】図１におけるII−II線断面図である。
【図３】第１カバー部材の固定部近傍を拡大して示す断面図である。
【図４】第１カバー部材の斜視図である。
【図５】外水圧が作用した場合の図２相当図である。
【図６】コンクリート構造物が互いに離れるように変位した場合の図５相当図である。
【図７】コンクリート構造物が互いに大きく離れるように変位した場合の図５相当図である。
【図８】コンクリート構造物が互いにさらに大きく離れるように変位した場合の図５相当図である。
【図９】コンクリート構造物が用水路の内外方向に変位した場合の図５相当図である。
【図１０】実施形態の変形例１にかかる第１カバー部材の斜視図である。
【図１１】実施形態の変形例２にかかる図２相当図である。
【図１２】実施形態の変形例３にかかる図２相当図である。
【図１３】実施形態の変形例４にかかる図１相当図である。
【図１４】実施形態の変形例５にかかる図１相当図である。
【図１５】実施形態の変形例６にかかる図１相当図である。
【発明を実施するための形態】
【００２３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２４】
図１は、本発明の実施形態にかかるコンクリート構造物用止水装置１を備えた用水路Ａの一部を示すものである。この用水路Ａは、複数のコンクリート構造物Ｂ１，Ｂ２を所定方向に並べて構成されたコンクリート製用水路である。各コンクリート構造物Ｂ１，Ｂ２は、上方に開放する略Ｕ字状断面を有しており、大部分が地面に形成された溝（図示せず）に埋め込まれている。従って、コンクリート構造物Ｂ１，Ｂ２の外側には土砂が存在している。コンクリート構造物Ｂ１，Ｂ２の間の継目部分の止水目地材が劣化したり、またはコンクリート構造物Ｂ１，Ｂ２が変位して止水目地材が損傷すると、用水路Ａの外部の土砂が水を含んだ場合に、コンクリート構造物Ｂ１，Ｂ２の外側から内側へ水圧（外水圧）が作用して漏水の原因となることがある。
【００２５】
図２に示すように、コンクリート構造物用止水装置１は、隣り合うコンクリート構造物Ｂ１，Ｂ２の継目部分からの漏水を防止するためのものであり、各継目部分にそれぞれ配設されている。コンクリート構造物用止水装置１は、用水路Ａ内の水が継目部分から外部へ漏れるのを防止するととともに、用水路Ａの外部に溜まった水が継目部分から内部へ浸入するのも防止するように構成されている。
【００２６】
コンクリート構造物用止水装置１は、可撓性防水シート５と、可撓性防水シート５をコンクリート構造物Ｂ１，Ｂ２の内側から覆う第１及び第２カバー部材１０，２０と、可撓性防水シート５、第１及び第２カバー部材１０，２０をコンクリート構造物Ｂ１，Ｂ２に固定するための止め付け具３０と、補強板４０と、不定形シーリング材５０とを備えている。
【００２７】
図３に拡大して示すように、可撓性防水シート５は、例えば水を透過させないゴム系又は熱可塑性エラストマー系材料よりなればよいが、好ましくは軟質塩化ビニル樹脂、塩化ビニル系エラストマー、オレフィン系エラストマー、スチレン系エラストマー、ウレタン系エラストマー等からなる群より選ばれる材質のものである。
【００２８】
可撓性防水シート５の厚み方向中間部には補強繊維５ｄが埋め込まれている。補強繊維５ｄが埋め込まれていることで、可撓性防水シート５の耐引き裂き強度が向上している。
【００２９】
図２に示すように、可撓性防水シート５は、一方のコンクリート構造物Ｂ１の縁部から他方のコンクリート構造物Ｂ２の縁部に亘って延びている。可撓性防水シート５の一方の縁部は、一方のコンクリート構造物Ｂ１の縁部に固定される第１定着部５ａ（図３にも示す）とされ、また、他方の縁部は、他方のコンクリート構造物Ｂ２の縁部に固定される第２定着部５ｂとされている。これら第１及び第２定着部５ａ，５ｂの間には、詳細は後述するが、両定着部５ａ、５ｂをコンクリート構造物Ｂ１，Ｂ２に固定した状態で弛んで余るように寸法設定された余長部５ｃが設けられている。
【００３０】
第１及び第２カバー部材１０，２０は、例えば鋼板等からなる剛性部材であり、後述するが、外水圧を受けた可撓性防水シート５が用水路Ａ内側へ膨らもうとした際に、この可撓性防水シート５が大きく膨らむのを抑制できる程度に高い剛性を有している。
【００３１】
図４に示すように、第１カバー部材１０は、第１固定部１１と、第１基部１２と、第１押さえ部１３と、第１縦板部１４とを備えており、これらは例えば１枚の板材をプレス成形することによって一体成形されている。
【００３２】
第１固定部１１は、図３に示すように一方のコンクリート構造物Ｂ１に固定されるものであり、用水路Ａの継目部分の延びる方向に沿って長く延びる板状をなしている。第１固定部１１には、上記止め付け具３０が挿通する挿通孔１１ａが形成されている。
【００３３】
第１基部１２は、第１固定部１１の継目部分側の縁部からコンクリート構造物Ｂ１の内側へ向けて延びるものであり、第１固定部１１の長手方向全体に亘って連続して形成されている。第１基部１２と第１固定部１１とのなす角度は、図３に示す略９０゜であってもよいし、図示しないが９０゜よりも大きくてもよい。第１基部１２と第１固定部１１とのなす角度が９０゜よりも大きい場合には、第１基部１２がその先端側（図３の上側）へ行くほど第１固定部１１から離れるように傾斜することになり、水の流れが良好になる。
【００３４】
第１押さえ部１３は、第１基部１２の先端部から他方のコンクリート構造物Ｂ２側へ延びており、図２に示すように、全体として一方のコンクリート構造物Ｂ１の内面に沿う平板状に形成されている。この第１押さえ部１３は、可撓性防水シート５における一方のコンクリート構造物Ｂ１側の約半分を覆うように配置されており、外水圧を受けた可撓性防水シート５が大きく膨らまないように押さえるためのものである。
【００３５】
第１縦板部１４は、第１押さえ部１３の先端部から継目部分へ接近する方向へ延びており、継目部分の延びる方向に連続している。第１縦板部１４は、継目部分を用水路Ａ内側から見たときに、継目部分と重複するように配置される。また、第１縦板部１４と第１押さえ部１３とのなす角度は、図２に示すように略９０゜であってもよいし、図示しないが９０゜よりも大きくても、小さくてもよい。
【００３６】
第１カバー部材１０は、更に、第１基部１２、第１押さえ部１３及び第１縦板部１４で区画形成され、可撓性防水シート５における約半分を収容する第１収容空間部Ｒ１を有している。第１収容空間部Ｒ１は、可撓性防水シート５が外水圧を受けて用水路Ａ内側へ膨らんだ状態となったときに該可撓性防水シート５を収容することが可能となっている。
【００３７】
第２カバー部材２０は、第１カバー部材１０と同様に構成されており、他方のコンクリート構造物Ｂ２に固定される第２固定部２１と、第２基部２２と、第２押さえ部２３と、第２縦板部２４と、第２基部２２、第２押さえ部２３及び第２縦板部２４で区画形成され、外水圧を受けて変形した可撓性防水シート５の残りの約半分を収容する第２収容空間部Ｒ２とを備えている。
【００３８】
上記可撓性防水シート５の第１定着部５ａと第２定着部５ｂとの間の最大寸法は、図２に示す第１カバー部材１０の第１基部１２の上下（用水路Ａ内外方向）寸法Ｓ１と、第１押さえ部１３の左右（継目部分の幅方向）寸法Ｔ１と、第１縦板部１４の上下（用水路Ａ内外方向）寸法Ｕ１と、第２カバー部材２０の第２基部２２の上下（用水路Ａ内外方向）寸法Ｓ２と、第２押さえ部２３の左右（継目部分の幅方向）寸法Ｔ２と、第２縦板部２４の上下（用水路Ａ内外方向）寸法Ｕ２と、継目部分の寸法Ｈとの合計寸法としている。これにより、可撓性防水シート５には、余長部５ｃが形成されることになる。
【００３９】
補強板４０は、可撓性防水シート５の第１定着部５ａと一方のコンクリート構造物Ｂ１との間に配置されるとともに、可撓性防水シート５の第２定着部５ｂと他方のコンクリート構造物Ｂ２との間に配置される。図３に示すように、各補強板４０は、鋼板４０ａと、鋼板４０ａの少なくとも片面に軟質塩化ビニル樹脂又は熱可塑性エラストマーを積層してなる被覆層４０ｂとを有する積層鋼板であり、被覆層４０ｂが可撓性防水シート５の第１及び第２定着部５ａ，５ｂに溶剤、熱、接着剤等で接着されるようになっている。
【００４０】
上記積層鋼板を予め可撓性防水シート５の長手方向の両端部に接着した補強板付き可撓性防水シートを作製するようにしてもよい。可撓性防水シート５の両端部を積層鋼板に接着することにより、可撓性防水シート５に外水圧が作用して膨れ出したときの該シート５の受ける応力は、積層鋼板にその長手方向に亘って分散されるため、例えばシート５を押さえ板とボルトとでコンクリート構造物Ｂ１，Ｂ２に固定した場合に比べてシート５の抜け出しは無くなる。
【００４１】
また、補強板４０には、上記止め付け具３０が挿通する貫通孔４０ｃを予め形成してもよいし、後述するように、貫通孔４０ｃは予め形成することなく、ハンマードリル等の工具を用いて施工現場で補強板４０に直接形成することも可能である。
【００４２】
次に、上記コンクリート構造物用止水装置１を用水路Ａに設置する要領について説明する。コンクリート構造物Ｂ１，Ｂ２は既に設置されているものとし、これらの間には継目部分がある。
【００４３】
まず、一方及び他方のコンクリート構造物Ｂ１，Ｂ２の内面における縁部に不定形シーリング材５０を塗布する。不定形シーリング材５０は、ウレタン系、シリコン系、変成シリコン系、エポキシ系、アクリル系、ブチルゴム系、チオコール系等の不定形のコーキング材、シール材等からなる群より選ばれる材質のものを用いることができる。不定形シーリング材５０は、コンクリート構造物用止水装置１の一部を構成する構成物である。
【００４４】
不定形シーリング材５０を塗布した後、その不定形シーリング材５０に補強板４０付き可撓性防水シート５を押し付けるようにして埋め込む。
【００４５】
第１及び第２定着部５ａ，５ｂを接着すると、可撓性防水シート５の寸法が上述のように設定されているので、可撓性防水シート５における第１及び第２定着部５ａ，５ｂの間の部分が波打つように弛み、余長部５ｃとなる。
【００４６】
しかる後、第１及び第２カバー部材１０，２０を所定位置に配置する。すなわち、第１カバー部材１０の第１固定部１１を可撓性防水シート５の第１定着部５ａ上に置き、また、第２カバー部材２０の第２固定部２１を可撓性防水シート５の第２定着部５ｂ上に置く。この状態で、第１カバー部材１０の第１縦板部１４と、第２カバー部材２０の第２縦板部２４との間に継目部分の寸法Ｈに対応した隙間Ｘが形成され、両縦板部１４，２４の側面同士が対向した状態となる。
【００４７】
その後、例えばハンマードリルを用いて可撓性防水シート５、補強板４０、不定形シーリング材５０に貫通孔をあけるとともに、コンクリート構造物Ｂ１，Ｂ２に下穴（図示せず）をあける。
【００４８】
次いで、第１カバー部材１０の挿通孔１１ａ、可撓性防水シート５、補強板４０、不定形シーリング材５０に形成した貫通孔４０ｃにスクリューネジ等の止め付け具３０を挿入し、さらにその止め付け具３０をコンクリート構造物Ｂ１，Ｂ２の下穴にねじ込み、第１カバー部材１０、可撓性防水シート５及び補強板４０をコンクリート構造物Ｂ１に固定する。第２カバー部材２０も同様に固定する。尚、止め付け具３０は、スクリューネジに限られるものではなく、例えば、プラスチックアンカー等であってもよく、プラスチックアンカーの場合には下穴にたたき込むことによって固定する。
【００４９】
以上のようにしてコンクリート構造物用止水装置１の設置が完了すると、用水路Ａ内の水は可撓性防水シート５が設けられていることによって外部へ漏れることはない。
【００５０】
次に、例えば農閑期のように用水路Ａ内に水が無い状態で、用水路Ａの外部に水が溜まった場合について図５に基づいて説明する。用水路Ａの外部の水は、継目部分を通って用水路Ａの内側へ浸入していき、可撓性防水シート５に外水圧が作用する。外水圧を受けた可撓性防水シート５は、余長部５ｃが設けられていることによって用水路Ａ内側へ向けて膨らもうとし、第１及び第２カバー部材１０，２０の第１及び第２押さえ部１３，２３によって押さえられるとともに、第１及び第２収容空間部Ｒ１，Ｒ２に収容される。
【００５１】
この状態で、第１及び第２縦板部１４，２４が継目部分へ接近するように延びていて継目部分と縦板部１４，２４との間が狭くなっているので、第１及び第２縦板部１４，２４が第１及び第２収容空間部Ｒ１，Ｒ２を閉塞するように機能することになる。これにより、第１及び第２収容空間部Ｒ１，Ｒ２に収容された可撓性防水シート５は、両収容空間部Ｒ１，Ｒ２から外部へ出るのが阻止される。よって、可撓性防水シート５の膨らみを小さくすることが可能になり、無理な変形が抑制される。
【００５２】
次に、図６に示すように例えば地盤沈下等によって一方のコンクリート構造物Ｂ１（または他方のコンクリート構造物Ｂ２）が他方のコンクリート構造物Ｂ２（または一方のコンクリート構造物Ｂ１）から用水路Ａの延びる方向に離れるように変位した場合について説明する。
【００５３】
一方のコンクリート構造物Ｂ１が変位すると、可撓性防水シート５の第１定着部５ａと第２定着部５ｂとが互いに離れる方向に引っ張られることになり、余長部５ｃが延ばされる。
【００５４】
この状態で、可撓性防水シート５が外水圧を受けると、上記したように、可撓性防水シート５が第１及び第２押さえ部１３，２３によって押さえられるとともに、第１及び第２収容空間部Ｒ１，Ｒ２に収容されるので、可撓性防水シート５の膨らみを小さくすることが可能になり、無理な変形が抑制される。
【００５５】
また、図７及び図８に示すように、一方のコンクリート構造物Ｂ１の変位量が大きい場合にも余長部５ｃが延ばされることで対応可能である。そして、この場合に可撓性防水シート５が外水圧を受けると可撓性防水シート５の膨らみを小さくすることができる。
【００５６】
次に、図９に示すように、例えば地盤沈下等によって一方のコンクリート構造物Ｂ１（または他方のコンクリート構造物Ｂ２）が用水路Ａの内外方向に変位した場合について説明する。一方のコンクリート構造物Ｂ１が用水路Ａの内外方向に変位すると、可撓性防水シート５の第１定着部５ａが用水路Ａの内外方向に引っ張られることになり、このことで余長部５ｃが延ばされる。
【００５７】
この状態で、可撓性防水シート５が外水圧を受けると、上記したように、可撓性防水シート５が第１及び第２押さえ部１３，２３によって押さえられるとともに、第１及び第２収容空間部Ｒ１，Ｒ２に収容されるので、可撓性防水シート５の膨らみを小さくすることが可能になり、無理な変形が抑制される。
【００５８】
以上説明したように、この実施形態にかかるコンクリート構造物用止水装置１によれば、可撓性防水シート５に余長部５ｃを設けたことで、隣り合うコンクリート構造物Ｂ１，Ｂ２の変位を許容しながら止水性を確保できる。そして、剛性部材からなる第１及び第２カバー部材１０．２０により可撓性防水シート５をコンクリート構造物Ｂ１，Ｂ２の内側から覆い、各カバー部材１０，２０には、外水圧を受けて変形した可撓性防水シート５を収容する収容空間部Ｒ１，Ｒ２を基部１２，２２、押さえ部１３，２３及び縦板部１４，２４で形成している。これにより、外水圧が作用した可撓性防水シート５の膨らみを小さくして無理な変形を抑制できるので耐久性を高めることができる。
【００５９】
また、可撓性防水シート５の余長部５ｃの長さを上述のように設定したので、外水圧が作用した可撓性防水シート５を第１及び第２収容空間部Ｒ１，Ｒ２に確実に収容して無理な変形を抑制しながら、可撓性防水シート５が無用に長くなるのを回避してコストを削減できる。
【００６０】
尚、図１０に示す変形例１のように、第１カバー部材１０には、第１固定部１１、第１基部１２、第１押さえ部１３及び第１縦板部１４に連なる第１補強部１５，１５を設けてもよい。第１補強部１５，１５は、第１カバー部材１０の長手方向両端部にそれぞれ設けられている。第１補強部１５，１５を設けることにより、第１カバー部材１０の剛性が全体的に向上するので、外水圧が高い場合であっても、可撓性防水シート５が大きく膨らもうとするのを抑制することができる。第２カバー部材２０に同様な補強部を設けてもよい。
【００６１】
また、図１１に示す変形例２のように、第１カバー部材１０と第２カバー部材２０との隙間を覆う補強シート５５を設けてもよい。補強シート５５は、可撓性防水シート５に接合されている。さらに、補強シート５５は、両縦板部１４，２４の先端部とコンクリート構造物Ｂ１，Ｂ２の継目部分との間で、可撓性防水シート５の水路内側に位置するように配置されている。また、補強シート５５の幅は、両縦板部１４，２４の隙間よりも広く設定されている。この変形例２によれば、両縦板部１４，２４の隙間を補強シート５５で閉塞することができるので、可撓性防水シート５が両縦板部１４，２４の隙間から外部へ出るのを防止することができ、より高い外水圧に耐えることができる。
【００６２】
また、図１２に示す変形例３のように、第１カバー部材１０の第１押さえ部１３の内面に、第１中間縦板部１６を設けてもよい。第１中間縦板部１６は、第１基部１２と第１縦板部１４との間に配置されており、これら基部１２，縦板部１４と略平行に延びている。また、第１中間縦板部１６の上下寸法は、第１縦板部１４の上下寸法よりも短く設定されている。第２カバー部材２０にも同様に第２中間縦板部２６を設けてもよい。これにより、余長部５ｃを大きくすることができ、コンクリート構造物Ｂ１，Ｂ２の変位が大きくても追従可能となる。
【００６３】
この変形例３では、可撓性防水シート５が外水圧を受けて膨らむと、第１及び第２中間縦板部１６，２６が可撓性防水シート５に食い込むようになるので、可撓性防水シート５がカバー部材１０，２０の外部へ膨出するのを確実に防止することができる。
【００６４】
また、上記実施形態では、Ｕ字状のコンクリート構造物Ｂ１，Ｂ２にコンクリート構造物用止水装置１を配設した場合について説明したが、これに限らず、例えば図１３に示す変形例４のように、コンクリート構造物用止水装置１を閉断面構造のコンクリート構造物Ｃ１，Ｃ２に配設してもよい。
【００６５】
また、図１４に示す変形例５のように、可撓性防水シート５の余長部５ｃを、厚み方向に重なるように折り畳んでもよい。この変形例５では、余長部５ｃを折り畳んだことで、余長部５ｃの長さを十分に確保しながら、可撓性防水シート５全体の施工後の厚みを薄くすることが可能になる。これにより、第１及び第２カバー部材１０，２０の基部１２，２２及び縦板部１４，２４の寸法を短くすることができるので、第１及び第２カバー部材１０，２０の用水路Ａ内への突出量を小さくすることができ、用水路Ａ内の水の流れを阻害しにくくなる。変形例５の可撓性防水シート５を製造する場合には、余長部５ｃを折り畳む際に加熱して軟化させ、その後、冷却硬化させ成形するのが好ましい。
【００６６】
また、図１５に示す変形例６のように、塩化ビニル樹脂１０ｅ，２０ｅ（樹脂材層）が鋼板に積層された、いわゆる塩化ビニル積層鋼板を用いて第１及び第２カバー部材１０，２０を構成してもよい。この変形例６の施工方法としては、まず、第１及び第２カバー部材１０，２０における両端部の塩化ビニル樹脂１０ｅ，２０ｅ側に、塩化ビニル製の可撓性防水シート５の両端部を、溶剤、熱、接着剤等で接着し、第１及び第２カバー部材１０，２０の両端部と可撓性防水シート５の両端部とを不定形シーリング材５０に埋め込む。そして、第１及び第２カバー部材１０，２０の水路内側からハンマードリル等を用いて下穴をあけ、その下穴にプラスチックアンカーＤをたたき込むことによって第１及び第２カバー部材１０，２０及び可撓性防水シート５をコンクリート構造物Ｂ１，Ｂ２に固定する。この変形例６では補強板４０を使用しないので、経済性及び施工性に優れる構成となっている。
【産業上の利用可能性】
【００６７】
以上説明したように、本発明にかかるコンクリート構造物用止水装置は、例えば用水路を構築するコンクリート構造物に用いることができる。
【符号の説明】
【００６８】
１            コンクリート構造物用止水装置
５            可撓性防水シート
５ａ          第１定着部
５ｂ          第２定着部
５ｃ          余長部
１０          第１カバー部材
１０ｅ        塩化ビニル樹脂（樹脂材層）
１１          第１固定部
１２          第１基部
１３          第１押さえ部
１４          第１縦板部
１５          第１補強部
２０          第２カバー部材
２０ｅ        塩化ビニル樹脂（樹脂材層）
２１          第２固定部
２２          第２基部
２３          第２押さえ部
２４          第２縦板部
３０          止め付け具
５０          不定形シーリング材
Ａ            用水路
Ｂ１，Ｂ２    コンクリート構造物
【図１】
0005758785.tif 000002
【図２】
0005758785.tif 000003
【図３】
0005758785.tif 000004
【図４】
0005758785.tif 000005
【図５】
0005758785.tif 000006
【図６】
0005758785.tif 000007
【図７】
0005758785.tif 000008
【図８】
0005758785.tif 000009
【図９】
0005758785.tif 000010
【図１０】
0005758785.tif 000011
【図１１】
0005758785.tif 000012
【図１２】
0005758785.tif 000013
【図１３】
0005758785.tif 000014
【図１４】
0005758785.tif 000015
【図１５】
0005758785.tif 000016